(57)【要約】【課題】少なくとも二つ以上の呼機能が可能な移動無線端末機が所定の呼を試して発信に失敗した場合、自動に他の呼の再発信を行う移動無線端末機、移動通信システム及びその方法を提供する。【解決手段】本発明は、使用者が動画像呼または音声呼を選択して発信を試せる使用者インタフェース部と、使用者が選択した種類の呼が遂行されるように制御し、呼に対して成功したかどうかをチェックして失敗を確認すれば、試さない残りの一種類の呼が選択されて該当呼を試すように制御する制御部とを含むことを特徴とする。【選択図】　図３
2004112752.tif 000002
【特許請求の範囲】
【請求項１】
使用者が動画像呼または音声呼を選択して発信を試せる使用者インタフェース部と、
使用者が選択した種類の呼が遂行されるように制御し、前記呼に対して成功したかどうかをチェックし、チェックした結果が失敗である場合、試さない残りの一種類の呼が選択されて該当呼を試すように制御する制御部とを含むことを特徴とする移動無線端末機。
【請求項２】
呼の失敗時に他の種類の呼を自動連結するための自動設定モードを遂行するためのプログラム及び関連データを貯蔵するメモリをさらに含んでおり、
前記制御部は、呼の失敗時に前記移動無線端末機の呼設定モードの判断結果により前記自動設定モードを遂行するように制御することを特徴とする請求項１記載の移動無線端末機。
【請求項３】
前記メモリは、呼の失敗時に使用者との質疑応答により他の種類の呼を連結するための手動設定モードを遂行するためのプログラム及び関連データをさらに貯蔵し、
前記制御部は、呼の失敗時に前記移動無線端末機の呼設定モード判断結果により前記手動設定モードを遂行するように制御し、
前記手動設定モードの遂行時、使用者が試さない残りの種類の呼を試すことを希望するかどうかを問い、
使用者が試さない種類の呼の試しを要求する応答をするための使用者インタフェース部をさらに含むことを特徴とする請求項２記載の移動無線端末機。
【請求項４】
前記使用者インタフェース部は、使用者からの応答を一回のキー操作で入力させるためのワンキーを備えることを特徴とする請求項３記載の移動無線端末機。
【請求項５】
動画像通話及び音声通話を支援する移動無線端末機を含む移動通信システムにおいて、
前記移動無線端末機のパワーオン登録時、動画像加入者の登録及びインターネットプロトコルの割り当てを実施し、前記移動無線端末機の動画像呼発信要求に応答して被呼出側移動無線端末機の通話可能有無を判断した後、動画像呼を連結し、あるいは動画像呼の失敗応答を前記移動無線端末機に知らせる画像通信制御サーバと、
前記移動無線端末機の音声呼の要求に反応して前記被呼出側移動無線端末機の音声通話可能性を判断し、その結果を前記移動無線端末機に知らせる基地局を含んでおり、
前記移動無線端末機が画像通信制御サーバへの動画像呼発信要求をした後、その応答で動画像呼の失敗を確認すれば音声呼の発信を遂行し、前記基地局への音声呼の発信を要求した後、その応答で音声呼の失敗を確認すれば動画像呼の発信を遂行することを特徴とする移動通信システム。
【請求項６】
前記動画像呼発信要求は、前記被呼出側移動無線端末機の電話番号と動画像呼であることを示す所定のコードを含むメッセージの送信からなることを特徴とする請求項５記載の移動通信システム。
【請求項７】
前記移動無線端末機は、音声呼／動画像呼の失敗時に使用者の介入なしに自動に動画像呼／音声呼の発信要求をそれぞれ遂行することを特徴とする請求項５記載の移動通信システム。
【請求項８】
前記移動無線端末機は、音声呼／動画像呼の失敗時に使用者の単一キーの入力により動画像呼／音声呼の発信要求をそれぞれ遂行することを特徴とする請求項５記載の移動通信システム。
【請求項９】
動画像呼または音声呼を発生させる移動無線端末機の発信方法において、
使用者により選択される動画像呼または音声呼のうちのいずれか一つの呼を試す第１過程と、
前記第１過程での呼試しに対して成功したがどうかをチェックする第２過程と、
前記第２過程の結果が失敗である場合、動画像呼または音声呼のうち、前記第１過程で試さなかった種類の呼を自動に試す第３過程とからなることを特徴とする方法。
【請求項１０】
動画像呼または音声呼を発生させる移動無線端末機の発信方法において、
使用者により選択される動画像呼または音声呼のうちのいずれか一つの呼を試す第１過程と、
前記第１過程での呼試しに対して成功したがどうかをチェックする第２過程と、
前記第２過程の結果が失敗である場合、動画像呼または音声呼のうち、前記第１過程で試さなかった種類の呼を試すことを希望するかどうかを使用者に問う第３過程と、
使用者から前記第１過程で試さなかった種類の呼試しを要求する応答が入力されることを確認すれば、動画像呼あるいは音声呼のうち第１過程で試さなかった種類の呼を試す第４過程とからなることを特徴とする方法。
【請求項１１】
前記第４過程での応答は、ワンキーであることを特徴とする請求項１０記載の方法。
【請求項１２】
動画像呼または音声呼を発生させる移動無線端末機の発信方法において、
第１移動無線端末機から画像通信制御サーバに動画像呼要求メッセージを伝送して第２移動無線端末機との動画像呼の発信を試す第１過程と、
前記画像通信制御サーバが前記第２移動無線端末機の状態をチェックする第２過程と、
前記第２過程で前記第２移動無線端末機が前記動画像呼を受信しないと判断されると、前記第２移動無線端末機間との音声呼を自動に試す第３過程とからなることを特徴とする方法。
【請求項１３】
前記第３過程が、
第１移動無線端末機が自分の基地局へ音声呼要求メッセージを伝送する第１段階と、
前記第２移動無線端末機の基地局を通じて前記第２移動無線端末機の音声呼が通話できるかどうかを確認する第２段階と、
前記第２移動無線端末機の基地局が前記第２移動無線端末機と前記第１移動無線端末機の基地局へそれぞれリングを送信する第３段階と、
前記第１移動無線端末機の基地局が前記第１移動無線端末機にリングバックトーンを送信する第４段階と、
前記第２移動無線端末機が自分の基地局に応答を送信すれば、前記第２移動無線端末機の基地局も前記第１移動無線端末機の基地局に応答を送信し、前記第１移動無線端末機の基地局も前記第１移動無線端末機に応答を送信して前記第１及び第２移動無線端末機間の音声呼のセットアップが完了する第５段階とからなることを特徴とする請求項１２記載の方法。
【請求項１４】
前記音声呼要求メッセージが前記第２移動無線端末機の電話番号を含むことを特徴とする請求項１３記載の方法。
【請求項１５】
動画像呼または音声呼を発生させる移動無線端末機の発信方法において、
第１移動無線端末機が自分の基地局へ第２移動無線端末機との音声呼要求メッセージを伝送する第１過程と、
前記第１移動無線端末機の基地局が前記第２移動無線端末機の基地局を通じて前記第２移動無線端末機の音声呼が通話できるかどうか確認する第２過程と、
前記第２移動無線端末機の基地局が前記第２移動無線端末機と前記第１移動無線端末機の基地局へそれぞれリングを送信する第３過程と、
前記第１移動無線端末機の基地局が前記第１移動無線端末機にリングバックトーンを送信する第４過程と、
前記第２移動無線端末機からの応答がないと、前記第２移動無線端末機との動画像呼の発信を自動に試す第５過程とからなることを特徴とする方法。
【請求項１６】
前記第５過程が、
前記第１移動無線端末機から画像通信制御サーバに動画像呼要求メッセージを伝送して第２移動無線端末機との動画像呼の発信を試す第１段階と、
前記画像通信制御サーバが前記第２移動無線端末機の状態をチェックする第２段階と、
前記第２段階で前記第２移動無線端末機が通話可能な状態と判断されると、前記第１及び第２移動無線端末機間の動画像呼のセットアップを完了する第３段階とからなることを特徴とする請求項１５記載の方法。
【請求項１７】
前記動画像呼要求メッセージが前記第２移動無線端末機の電話番号と動画像呼を示す所定のコードを含むことを特徴とする請求項１６記載の方法。
【発明の詳細な説明】
【０００１】
【発明の属する技術分野】
本発明は、動画像移動無線端末機の発信に関し、特に動画像呼または音声呼の発信に失敗した場合に試さない音声呼あるいは動画像呼を自動に選択して発信する移動無線端末機、移動通信システム及び方法に関するものである。
【０００２】
【従来の技術】
最近では、単純な音声呼以外に両方向動画像呼機能を搭載した移動無線端末機が登場している。これにより、基本的な音声通話機能だけでなく、ＶｏＩＰ（Ｖｏｉｃｅ　ｏｖｅｒ　Ｉｎｔｅｒｎｅｔ　Ｐｒｏｔｏｃｏｌ）を通じる音声と動画像、移動インターネットプロトコル（Ｍｏｂｉｌｅ　Ｉｎｔｅｒｎｅｔ　Ｐｒｏｔｏｃｏｌ：ＭＩＰ）及び／またはシンプルインターネットプロトコル（Ｓｉｍｐｌｅ　Ｉｎｔｅｒｎｅｔ　Ｐｒｏｔｏｃｏｌ：ＳＩＰ）、そしてツーウェービデオプロトコル（Ｈ．３２３、Ｈ．３２４ｍなど）を用いる無線パケットネットワークを通じる動画像を支援する端末機間に画像通信が可能なようになった。
【０００３】
通常、移動無線端末機のユーザは呼連結を試してネットワークあるいは他の理由で連結されなかった場合、手動で再び呼連結を試すようになる。例えば、一般（音声呼）端末機のユーザが音声呼の連結を試して成功しないと、音声呼を再び試すようになる場合が挙げられる。また、動画像端末機のユーザが動画像呼の連結を試して成功しないと、動画像呼を更に試すようになる場合もある。このように、音声呼または動画像呼の連結を試した結果、連結されなかった場合はユーザの意志によって手動で再び呼処理過程を行うようになる。これは、ユーザにとっては非常に煩わしく不便であるという短所があった。
【０００４】
【発明が解決しようとする課題】
したがって本発明の目的は、少なくとも二つ以上の呼機能が可能な移動無線端末機が所定の呼を試して発信に失敗した場合、自動に他の呼の再発信を行う移動無線端末機、移動通信システム及びその方法を提供することにある。
【０００５】
【課題を解決するための手段】
したがって上記の目的を達成するために第１発明は、使用者が動画像呼または音声呼を選択して発信を試せる使用者インタフェース部と、使用者が選択した種類の呼が遂行されるように制御し、前記呼に対して成功したかどうかをチェックして失敗を検知すれば、試さない残りの一種類の呼が選択されて該当呼を試すように制御する制御部とを含むことを特徴とする。
【０００６】
第２発明は、移動通信システムが、前記移動無線端末機のパワーオン登録時、動画像加入者の登録及びインターネットプロトコルの割り当てを実施し、前記移動無線端末機の動画像呼発信要求に応答して被呼出側移動無線端末機の通話可能有無を判断した後、動画像呼を連結し、あるいは動画像呼の失敗応答を前記移動無線端末機に知らせる画像通信制御サーバと、前記無線端末機の音声呼の要求に反応して前記被呼出側端末機の音声通話可能性を判断し、その結果を前記移動無線端末機に知らせる基地局を含んでおり、前記移動無線端末機が画像通信制御サーバへの動画像呼発信要求をした後、その応答で動画像呼の失敗を確認すれば音声呼の発信を遂行し、前記基地局への音声呼の発信を要求した後、その応答で音声呼の失敗を確認すれば動画像呼の発信を遂行することを特徴とする。
【０００７】
第３発明は、動画像呼または音声呼を発生させる移動無線端末機の発信方法において、使用者により選択される動画像呼または音声呼のうちのいずれか一つの呼を試す第１過程と、前記第１過程での呼試しに対して成功したがどうかをチェックする第２過程と、前記第２過程の結果が失敗である場合、動画像呼または音声呼のうち、前記第１過程で試さなかった種類の呼を自動に試す第３過程とからなることを特徴とする。
【０００８】
【発明の実施の形態】
以下、本発明の好適な実施例を添付の図面を参照して詳細に説明する。下記の説明においては、本発明の要旨のみを明確にする目的で、関連した公知機能または構成に関する具体的な説明は省略する。
【０００９】
図１Ａは、本発明による高速データ伝送のための移動通信システムの第１構成を示すものである。同図では、相手側（被呼出側あるいは呼出側）を考慮しないものである。言い換えれば、高速データ伝送のための移動通信システムに属する任意の一つの移動無線端末機（Ｍｏｂｉｌｅ　Ｓｔａｔｉｏｎ：以下、“ＭＳ”とする）は呼出側あるいは被呼出側のいずれにも可能であるので、この移動無線端末機の側面ではシステムの基本的構造を示すものである。ＭＳ１００は、携帯電話あるいは個人携帯端末機（Ｐｅｒｓｏｎａｌ　Ｄｉｇｉｔａｌ　Ａｓｓｉｓｔａｎｔ：以下、“ＰＤＡ”とする）などを意味する。動画像呼及び音声呼の発信が可能であるＭＳ１００は示したように画像プロトコル、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）、ＰＰＰ（Ｐｏｉｎｔ　ｔｏ　Ｐｏｉｎｔ　Ｐｒｏｔｏｃｏｌ）、ＲＬＰ（Ｒａｄｉｏ　Ｌｉｎｋ　Ｐｒｏｔｏｃｏｌ）、そしてエア（ａｉｒ）プロトコルなどのソフトウェアを有する。
【００１０】
基地局（Ｂａｓｅ−ｓｔａｔｉｏｎ　Ｔｒａｎｓｃｅｉｖｅｒ　Ｓｕｂｓｙｓｔｅｍ：以下、“ＢＴＳ”とする）／基地局制御器（Ｂａｓｅ　Ｓｔａｔｉｏｎ　Ｃｏｎｔｒｏｌｌｅｒ：以下、“ＢＳＣ”とする）２００は、便宜上ＢＴＳとＢＳＣとを共に称するものである。ＢＴＳは移動通信網の交換機と端末機との間を連結させる役割を遂行し、端末機との無線接続、同期維持、通話チャンネル割り当て／解除などの機能も遂行する。ＢＳＣは交換機と基地局との間に位置して基地局の運用管理、基地局内のハードウェアとソフトウェアのサービス状態管理、呼トラヒックに対する資源の割り当てと構成、基地局の運用に関する情報収集、基地局の運用監視及び探知した故障にかかる下部装置の監視などの機能を遂行する。また、ＢＳＣは同一のＢＳＣカバレージ内で基地局間のハンドオフ機能を提供することもある。
【００１１】
移動通信交換機（Ｍｏｂｉｌｅ　Ｓｗｉｔｃｈｉｎｇ　Ｃｅｎｔｅｒ：以下、“ＭＳＣ”とする）３００は、一般公衆電話網と移動通信網とを接続するためのものであり、移動通信網の中央に位置して前記ＢＴＳ／ＢＳＣ２００、ホーム位置登録機（図示せず）などと接続して音声及び非音声の通話路を構成する機能と交換機の運用及び維持補修を遂行する。
【００１２】
データ交換システム（Ｐａｃｋｅｔ　Ｄａｔａ　Ｓｅｒｖｉｎｇ　Ｎｏｄｅ：以下、“ＰＤＳＮ”とする）４００は、移動通信網のデータサービスを提供するためのものである。現在、２Ｇ、２．５Ｇ、及びＩＭＴ−２０００の超高速無線インターネットサービスを提供するためのコード分割多重接続（Ｃｏｄｅ　Ｄｉｖｉｓｉｏｎ　Ｍｕｌｔｉｐｌｅ　Ａｃｃｅｓｓ：以下、“ＣＤＭＡ”とする）網にはＰＤＳＮが使用される。
【００１３】
ゲートキーパー（ｇａｔｅ　ｋｅｅｐｅｒ）５００は、ＰＤＳＮ４００に接続され、画像通信を制御するためのサーバとして動作する。例えば、ＭｏＩＰ端末機でネットワークを構成する場合、各端末の使用者情報と端末機の現在状態を記録したＤＢ（Ｄａｔａ　Ｂａｓｅ）を検索して、住所変換（電話番号⇔ＩＰ住所）及び管理と端末機の登録と認証、端末機間の通話始めから通話中の帯域幅の調節、通話相手の状態情報の知らせなどの多様な機能を提供する。
【００１４】
図１Ｂは、本発明による高速データ伝送のための移動通信システムの第２構成を示すものである。
ＣＤＭＡ２０００　１ｘ　ＥＶ−ＤＯ（Ｅｖｏｌｕｔｉｏｎ−Ｄａｔａ　Ｏｎｌｙ）移動通信システムを仮定し、第１移動無線端末機が第１通信網に属し、第２移動無線端末機は第２通信網に属する状況を仮定した。
【００１５】
ＣＤＭＡ２０００　１ｘ　ＥＶ−ＤＯ標準では移動無線端末機はＡＴ（Ａｃｃｅｓｓ　Ｔｅｒｍｉｎａｌ）、基地局はＡＮＴＳ（Ａｃｃｅｓｓ　Ｎｅｔｗｏｒｋ　Ｓｙｓｔｅｍ）、基地局制御器はＡＮＣ（Ａｃｃｅｓｓ　Ｎｅｔｗｏｒｋ　Ｃｏｎｔｒｏｌｌｅｒ）と呼ばれているので、以下の説明ではその通り称することにする。ただし、移動無線端末機とは前記ＡＴを含む用語としても使用可能である。
【００１６】
同図では、第１移動無線端末機のＡＴ１１０は第１移動通信網のＡＮＴＳ２４０ａ、・・・、２４０ｍのうちのＡＮＴＳ２４０ａと、第２移動無線端末機のＡＴ１５０はＡＮＴＳ２５０ａ、・・・、２５０ｍのうちのＡＮＴＳ２５０ｍと無線連結されるとの仮定を示している。また、本実施例ではＡＴ１００が呼出側、ＡＴ１５０が被呼出側の場合であると仮定する。
【００１７】
第１移動通信網の構成及び動作を説明すれば、次のようである。
ＡＮＴＳ２４０ａ、・・・、２４０ｍは、それぞれ有線でＡＮＣ２４０と連結されてＡＴから、またはＡＴへ送受信されるデータの処理及び認証と、それによる信号処理を遂行する。以下の説明では、ＡＮＴＳとＡＮＣを総称して接続ネットワーク、すなわちＡＮ（Ａｃｃｅｓｓ　Ｎｅｔｗｏｒｋ）と称する。ＡＮＣ２４０は、パケットデータサービスノード（Ｐａｃｋｅｔ　Ｄａｔａ　Ｓｅｒｖｉｎｇ　Ｎｏｄｅ：以下、“ＰＤＳＮ”とする）４００に連結され、このＰＤＳＮ４００はパケットデータ通信のためにインターネットに連結される。図示していないが、ＡＴに伝送されるパケットデータの制御及びＡＴから受信されるデータのパケット処理は、ＰＤＳＮの前端に接続されるＧＡＮ（Ｇｅｎｅｒａｌ　ＡＴＭ　ｓｗｉｔｃｈ　Ｎｅｔｗｏｒｋ）で遂行される。ＰＤＳＮ４００はゲートキーパー５００に連結され、ゲートキーパー５００は、ＡＴ１１０のパケットデータサービスに対する認証を遂行する画像通信制御サーバである。このゲートキーパー５００は、動画像加入者登録（電話番号）及びインターネットプロトコル割り当てのためのデータベースを備える。
【００１８】
図２は、本発明の実施例による移動無線端末機が動画像加入者の登録を実施する過程を示す流れ図である。
ユーザがＭＳ１００の電源をオンさせると（ステップ１）、ＭＳ１００はＢＴＳ／ＢＳＣ２００にパワーオン登録を実施する（ステップ２）。これにより、ＢＴＳ／ＢＳＣ２００は、ＭＳＣ３００にパワーオン登録を実施し（ステップ３）、ＭＳＣ３００は、ＭＳ１００の登録を認める（ステップ４）。その後、ＭＳ１００は、ＰＤＳＮ４００からパケットデータ加入者及び動画像電話加入者の確認及び認証要請を受ける。ＰＤＳＮ４００とＭＳ１００との間で認証動画像加入者の確認が完了すると（ステップ５、６）、ＰＤＳＮ４００はゲートキーパー５００に動画像加入者の登録及びＩＰ割り当てを要請する（ステップ７）。それから、ゲートキーパー５００は、ＭＳ１００にＭｏＩＰ（Ｍｕｌｔｉｍｅｄｉａ　ｏｖｅｒ　ＩＰ）の割り当てを完了してＰＰＰ接続を維持する（ステップ８）。
【００１９】
図３は、本発明の第１実施例による動画像呼及び音声呼の発信過程を示す流れ図である。
ＭＳ−Ａがゲートキーパーへ動画像要求メッセージを送信し（ステップ５２）、ここで動画像要求メッセージがＭＳ−Ｂの電話番号と動画像ボタンの入力により生じる。ゲートキーパーは、ＭＳ−Ａからの動画像要求メッセージを分析し、ＭＳ−Ｂが動画像通話が可能であるかどうかを判断する（ステップ５３）。もし、通話が不可能であれば、ＭＳ−ＡにＩＰ使用中（例えば、動画像通話中あるいはデータ通信）またはエラーメッセージを伝送する（ステップ５４）。このエラーメッセージは、ＭＳ−Ｂが応答しない場合のその無応答を知らせるメッセージを意味し、あるいはネットワークや装備に異常が発生して呼が発信されない場合を知らせるメッセージを意味する。また、表記していないが、上記に類似した理由でゲートキーパーから応答が伝送されないこともある。
【００２０】
このように動画像呼の発信に失敗した場合（ステップ５４）、ＭＳ−Ａは、自分の基地局ＢＴＳ−Ａ／ＢＳＣ−Ａ／ＭＳＣ−Ａ（便宜上、ＢＴＳ／ＢＳＣとＭＳＣを基地局と通称し、ＢＴＳ／ＢＳＣとＭＳＣとの間の動作過程に関する説明は省略する）へ音声呼要求メッセージを伝送する（ステップ５５）。この音声呼要求メッセージにはＭＳ−Ｂの電話番号が含まれる。ＢＴＳ−Ａ／ＢＳＣ−Ａ／ＭＳＣ−Ａは、ＭＳ−Ｂの基地局ＢＴＳ−Ｂ／ＢＳＣ−Ｂ／ＭＳＣ−Ｂを通じてＭＳ−Ｂの音声呼の通話が可能であるかどうかを確認要請する（ステップ５６）。
【００２１】
ＢＴＳ−Ｂ／ＢＳＣ−Ｂ／ＭＳＣ−Ｂは、ＭＳ−ＢとＢＴＳ−Ａ／ＢＳＣ−Ａ／ＭＳＣ−Ａにそれぞれリングを送信し（ステップ５７、５８）、ＢＴＳ−Ａ／ＢＳＣ−Ａ／ＭＳＣ−ＡはＭＳ−Ａにリングバックトーンを送信する（ステップ５９）。もし、ＭＳ−ＢがＢＴＳ−Ｂ／ＢＳＣ−Ｂ／ＭＳＣ−Ｂに応答を送信すれば（ステップ６０）、ＢＴＳ−Ｂ／ＢＳＣ−Ｂ／ＭＳＣ−ＢもＢＴＳ−Ａ／ＢＳＣ−Ａ／ＭＳＣ−Ａに応答を送信する（ステップ６１）。また、ＢＴＳ−Ａ／ＢＳＣ−Ａ／ＭＳＣ−ＡもＭＳ−Ａに応答を送信する（ステップ６２）。これにより、ＭＳ−ＡとＭＳ−Ｂとの間の音声呼セットアップが完了する（ステップ６３）。
【００２２】
図４は、本発明の第２実施例による音声呼及び動画像呼の発信過程を示す流れ図である。
ＭＳ−Ａが自分の基地局ＢＴＳ−Ａ／ＢＳＣ−Ａ／ＭＳＣ−Ａへ音声呼要求メッセージを伝送する（ステップ７１）。この音声呼要求メッセージにはＭＳ−Ｂの電話番号が含まれる。ＢＴＳ−Ａ／ＢＳＣ−Ａ／ＭＳＣ−Ａは、ＭＳ−Ｂの基地局ＢＴＳ−Ｂ／ＢＳＣ−Ｂ／ＭＳＣ−Ｂを通じてＭＳ−Ｂの音声呼の通話ができるかどうかを確認要請する（ステップ７２）。ＢＴＳ−Ｂ／ＢＳＣ−Ｂ／ＭＳＣ−Ｂは、ＭＳ−ＢとＢＴＳ−Ａ／ＢＳＣ−Ａ／ＭＳＣ−Ａにそれぞれリングを送信する（ステップ７３、７４）。ＢＴＳ−Ａ／ＢＳＣ−Ａ／ＭＳＣ−Ａは、ＭＳ−Ａにリングバックトーンを送信する（ステップ７５）。
【００２３】
もし、ＭＳ−ＢがＢＴＳ−Ｂ／ＢＳＣ−Ｂ／ＭＳＣ−Ｂに応答を送信しないと（ステップ７６）、ＢＴＳ−Ｂ／ＢＳＣ−Ｂ／ＭＳＣ−Ｂは、ＢＴＳ−Ａ／ＢＳＣ−Ａ／ＭＳＣ−Ａにエラーメッセージを伝送する（ステップ７７）。また、ＢＴＳ−Ａ／ＢＳＣ−Ａ／ＭＳＣ−ＡもＭＳ−Ａにエラーメッセージを伝送する（ステップ７８）。図示した例によると、このエラーメッセージは、ＭＳ−Ｂが応答しなかった場合、その無応答を知らせるメッセージを意味する。その他、エラーメッセージは、ネットワークや装備に異常が生じて呼が発信しなかった場合、あるいはＭＳ−Ｂが通話中であり、または音声呼機能にかかるボイスメールが実行される場合などを知らせるメッセージを意味することもできる。
【００２４】
上記のように音声呼の発信に失敗した場合、ＭＳ−Ａはゲートキーパーへ動画像要求メッセージを送信する（ステップ７９）。受信電話番号を含むこの動画像要求メッセージは、ＭＳ−Ａにより自動に生じる。この動画像要求メッセージは、ＭＳ−Ｂの電話番号と動画像キーの入力により生じる。ゲートキーパーは、このＭＳ−Ａからの動画像要求メッセージを分析し、ＭＳ−Ｂが通話できるかどうかを判断する（ステップ８０）。そして、その判断結果が通話可能な状態であれば、ＭＳ−ＡとＭＳ−Ｂとの間の動画像呼のセットアップが完了する（ステップ８１）。
【００２５】
図５は、本発明の第３実施例による動画像呼及び音声呼の発信過程を示す流れ図である。
上述した第１実施例には自動に他の呼を再接続することに対して、この第３実施例は手動に処理するということで差がある。すなわち、音声呼の接続可否の確認メッセージを表示することにより、ユーザがその表示を確認して状況を認識してから、接続を要求するキーが入力可能なようにするためである（ステップ５４−１、５４−２）。この再接続を要求するキーはユーザが他の呼と再接続の意志があることを表現するように予め定められた単一キー（例えば♯キー）である。
【００２６】
図６は、本発明の第４実施例による音声呼及び動画像呼の発信過程を示す流れ図である。
上記第２実施例には自動に他の呼を再接続することに対して、第４実施例には手動に処理するということで差がある。すなわち、動画像呼の接続可否の確認メッセージを表示することにより、ユーザがその表示を確認して状況を認識してから、接続を要求するキーを入力可能なようにするためである（ステップ７８−１、７８−２）。
【００２７】
図７は、本発明の実施例によるキーパッドを含む移動無線端末機の構造を示すものである。
制御部２は、移動無線端末機１００の全般的な動作を総括的に制御する。また、制御部２は、本発明の実施例により呼の失敗を検知すれば、動画像呼から音声呼に、あるいはその逆に自動変更し、その変更された種類の呼の発信を試すように制御する。無線部４は、音声データ及び制御データの無線送受信を制御する。オーディオ部１０は、受信された音声データをスピーカ１６を通じて可聴音に変換して出力し、マイク１８を通じて入力される音声をデータ化、圧縮、あるいは認識する。
【００２８】
メモリ１４は、移動無線端末機１００が各種制御を行うのに必要な多数のプログラムとデータを貯蔵するためのＲＯＭ（Ｒｅａｄ　Ｏｎｌｙ　Ｍｅｍｏｒｙ）、ＲＡＭ（ＲａｎｄｏｍＡｃｃｅｓｓ　Ｍｅｍｏｒｙ）、及び音声メモリなどからなる。メモリ１４は、呼の発信失敗時に呼の種類を自動に変更して（動画像呼から音声呼に、あるいはその逆に）実施するようにプログラム及び前記プログラムの実行中に発生するデータを貯蔵する。すなわち、制御部２は、呼の発信に失敗したとき、端末機の呼設定モードの判断結果により、呼の失敗時に他の種類の呼を自動連結するための自動設定モードを遂行するように制御する。より望ましい実施例では、メモリ１４は、呼の失敗時、使用者との質疑応答により他種類の呼を連結するための手動設定モードを遂行するためのプログラム及び関連データをさらに貯蔵する。
【００２９】
また、制御部２は、呼の失敗時に端末機の呼設定モードの判断結果にしたがって手動設定モードを遂行するように制御する。この手動設定モードの遂行時、使用者に試さなかった残りの種類の呼に対する試しの希望可否を問い、使用者が呼の試しを要求する応答をするための使用者インタフェース部が備えられる。この使用者インタフェース部は、キー入力部８、表示部、スピーカ、マイクなどを含む。キー入力部８は、使用者とのインタフェースのためのもので、通話キー１１５、動画像キー１２０、図示しないが、各種機能や数字、または文字などの入力のための多数のキーを備えており、使用者が押すキーに対応するキー入力データを出力する。
【００３０】
表示部６は、ＬＣＤ（Ｌｉｑｕｉｄ　Ｃｒｙｓｔａｌ　Ｄｉｓｐｌａｙ）などからなり、端末機１００で発生する各種表示データを出力する。また、表示部６は、使用者に試さなかった残りの種類の呼の発信を試すかどうかを問うためのメッセージを表示する。キー入力部８は、使用者が試さなかった種類の呼の試しを要求する応答を行うような応答手段をさらに含むが（図示せず）、この応答手段はキー入力部８のワンキーである。使用者入力は、前記オーディオ部１０の音声認識機能を通じて、あるいはキー入力部８、または図示しないタッチパッドなどを通じて多様に行われる。
【００３１】
一般呼の発信を試すときには数字キーを用いて電話番号を押し、通話キー１１５を押して発信する。動画像呼は動画像キー１２０、電話番号、そして通話キー１１５を押して発信する。すなわち、動画像呼を試すときには別途に備えられた動画像キー１２０を押して一般の呼を発信するときと区分する。
一方、本発明の詳細な説明で具体的な実施例に関して説明したが、本発明の範囲を外れない限り、多様な変形が可能であることはもちろんのことである。したがって、本発明の範囲は上述した実施例に限り定められてはいけないし、特許請求の範囲だけでなく、この特許請求の範囲と均等なことにより定められるべきである。
【００３２】
【発明の効果】
上述したように本発明は、動画像がセットアップされない場合、その端末機が音声呼も支援する端末機であれば、自動に一般呼を要請して自動に連結させることができる。その反面、一般呼がセットアップされない場合、その端末機が動画像呼を支援する端末機であれば、自動に動画像呼との接続を試すことができる。また、動画像呼と音声呼を共に支援可能な端末機の場合では動画像または音声呼の接続を試し、その接続に失敗した場合、音声呼または動画像呼を自動に試して接続を再び要請することもできる。したがって、ユーザにとっては一層便利な使用が可能になる。また、キーパッドに動画像専用キーを備えることにより、音声呼と独立的なキーの使用が可能になる。つまり、音声呼と区分されるように複雑なキーの組合せを覚えることとか入力することなくてもキー入力が可能なので、便宜性が一層向上する効果を奏する。
【図面の簡単な説明】
【図１Ａ】本発明による高速データ伝送のための移動通信システムの第１構成を示す図。
【図１Ｂ】本発明による高速データ伝送のための移動通信システムの第２構成を示す図。
【図２】本発明の実施例による移動無線端末機が動画像加入者登録を実施する過程を示す流れ図。
【図３】本発明の第１実施例による動画像呼及び音声呼の発信過程を示す流れ図。
【図４】本発明の第２実施例による音声呼及び動画像呼の発信過程を示す流れ図。
【図５】本発明の第３実施例による動画像呼及び音声呼の発信過程を示す流れ図。
【図６】本発明の第４実施例による音声呼及び動画像呼の発信過程を示す流れ図。
【図７】本発明の実施例によるキーパッドを含む移動無線端末機の構造を示す図。
【符号の説明】
１００　　移動無線端末機（ＭＳ）
２００　　基地局／基地局制御器（ＢＴＳ／ＢＳＣ）
３００　　移動通信交換機（ＭＳＣ）
４００　　データ交換システム（ＰＤＳＮ）
５００　　ゲートキーパー
【図１Ａ】
2004112752.tif 000003
【図１Ｂ】
2004112752.tif 000004
【図２】
2004112752.tif 000005
【図３】
2004112752.tif 000006
【図４】
2004112752.tif 000007
【図５】
2004112752.tif 000008
【図６】
2004112752.tif 000009
【図７】
2004112752.tif 000010